(57)【要約】【課題】  表示装置に含まれる欠陥画素を目立ちにくくする新たな技術を提供する。【解決手段】  表示装置は、複数の画素を有する表示部と、表示部の複数の画素のうち、表示に関する欠陥を有する欠陥画素に関する欠陥情報を取得する情報取得部と、欠陥情報を用いて、複数個の候補画像データの中から、表示画像データを選択する選択部と、選択された表示画像データを用いて、表示部に特定種の画像を表示させる表示制御部と、を備えている。【選択図】  図４
2014048412.tif 000002
【特許請求の範囲】
【請求項１】
表示装置であって、
複数の画素を有する表示部と、
前記表示部の前記複数の画素のうち、表示に関する欠陥を有する欠陥画素に関する欠陥情報を取得する情報取得部と、
前記欠陥情報を用いて、複数個の候補画像データの中から、表示画像データを選択する選択部と、
選択された前記表示画像データを用いて、前記表示部に特定種の画像を表示させる表示制御部と、
を備える表示装置。
【請求項２】
請求項１に記載の表示装置であって、さらに、
前記選択部は、前記欠陥情報を用いて、前記欠陥画素に関する指標値を算出する算出部を備え、
前記選択部は、前記指標値に基づいて、前記複数個の候補画像データの中から、前記表示画像データを選択する、表示装置。
【請求項３】
請求項２に記載の表示装置であって、
前記欠陥情報は、前記欠陥画素の位置を示す情報と、前記欠陥画素に表示される色を示す情報と、を含み、
前記算出部は、前記欠陥情報を用いて前記欠陥画素値を取得する第１の画素値取得部と、前記欠陥情報を用いて前記欠陥画素に対応する前記候補画像データ内の画素値である対応画素値を、複数個の候補画像データごとに取得する第２の画素値取得部と、を備え、
前記算出部は、前記欠陥画素値と前記対応画素値との差分値を用いて、前記複数個の候補画像データごとに前記指標値を算出する、表示装置。
【請求項４】
請求項３に記載の表示装置であって、
前記選択部は、前記複数個の候補画像データごとに算出される複数個の前記指標値のうち、最小の前記指標値に対応する前記候補画像データを、前記表示画像データとして選択する、表示装置。
【請求項５】
請求項３または請求項４に記載の表示装置であって、
前記複数の画素のそれぞれは、複数種類の色成分に対応する複数種類のサブ画素を含み、
前記欠陥情報は、前記複数種類のサブ画素ごとの欠陥に関する情報を含み、
前記第１の画素値取得部は、前記欠陥情報を用いて、欠陥を有する前記サブ画素ごとに前記欠陥画素値を取得し、
前記第２の画素値取得部は、欠陥を有する前記サブ画素に対応する前記色成分における前記対応画素値を取得し、
前記算出部は、前記複数個の候補画像データのそれぞれについて、複数の前記色成分ごとに前記欠陥画素値と前記対応画素値との前記差分値を算出し、前記複数個の候補画像データのそれぞれの前記指標値として、複数の前記色成分ごとに算出される前記差分値の和を算出する、表示装置。
【請求項６】
請求項１ないし請求項５のいずれかに記載の表示装置であって、
前記複数個の候補画像データは、互いに主要な色成分が異なる複数個の画像を表す複数個の画像データを含む、表示装置。
【請求項７】
請求項１ないし請求項５のいずれかに記載の表示装置であって、
前記複数個の候補画像データは、互いに画像テーマが異なる複数個の背景画像を表す複数個の画像データを含む、表示装置。
【請求項８】
請求項１ないし請求項７のいずれかに記載の表示装置であって、
前記表示制御部は、前記表示部に、前記特定種の画像のうちの一部の画像と、前記特定種の画像とは異なる画像と、を含む１つの画像を表示させる、表示装置。
【請求項９】
請求項８に記載の表示装置であって、
前記表示装置は、コンテンツ画像を処理する電子機器のための画面を表示する装置であり、
前記特定種の画像は、アイコン画像および背景画像のうちの少なくとも一方を含み、
前記特定種の画像とは異なる画像は、前記コンテンツ画像を含む、表示装置。
【請求項１０】
複数の画素を有する表示部を備える表示装置を制御するコンピュータプログラムであって、
前記表示部の前記複数の画素のうち、表示に関する欠陥を有する欠陥画素に関する欠陥情報を取得する情報取得機能と、
前記欠陥情報を用いて、複数個の候補画像データの中から、表示画像データを選択する選択機能と、
選択された前記表示画像データを用いて、前記表示部に特定種の画像を表示させる表示制御機能と、
をコンピュータに実現させるコンピュータプログラム。
【発明の詳細な説明】
【技術分野】
【０００１】
本発明は、表示装置に欠陥画素が含まれる場合に実行される技術に関する。
【背景技術】
【０００２】
液晶ディスプレイなどの表示装置は、素子や配線の不良等による欠陥画素を含む場合がある。欠陥画素は、例えば、常に消灯した（暗く見える）暗欠陥画素と、常に点灯した（明るく見える）明欠陥画素とを含んでいる。これらの欠陥画素を目立たなくするために、暗欠陥画素の周囲の画素を、本来表示すべき明るさより明るく表示し、明欠陥画素の周囲の画素を、本来表示すべき明るさより暗く表示する技術が知られている（例えば、特許文献１）。こうすれば、欠陥画素と周囲の画素との全体の明るさを本来表示すべき明るさに近づけることによって、欠陥画素を目立ちにくくすることができる。
【先行技術文献】
【特許文献】
【０００３】
【特許文献１】特開２００６−６７２０３号公報
【発明の概要】
【発明が解決しようとする課題】
【０００４】
しかしながら、上記技術では、十分に欠陥画素を目立ちにくくすることができない可能性があった。例えば、表示装置の解像度が比較的低い場合や、観察者が比較的近い距離から表示装置を観察する場合には、個々の画素が観察者によって識別されやすいために、上記技術を用いても欠陥画素が目立ち易い場合があった。
【０００５】
本発明の主な利点は、表示装置に含まれる欠陥画素を目立ちにくくする新たな技術を提供することである。
【課題を解決するための手段】
【０００６】
本発明は、上述の課題の少なくとも一部を解決するためになされたものであり、以下の適用例として実現することが可能である。
【０００７】
［適用例１］表表示装置であって、複数の画素を有する表示部と、前記表示部の前記複数の画素のうち、表示に関する欠陥を有する欠陥画素に関する欠陥情報を取得する情報取得部と、前記欠陥情報を用いて、複数個の候補画像データの中から、表示画像データを選択する選択部と、選択された前記表示画像データを用いて、前記表示部に特定種の画像を表示させる表示制御部と、を備える表示装置。
【０００８】
上記構成によれば、欠陥情報を用いて、複数個の候補画像データの中から、表示画像データを選択するので、欠陥画素が比較的目立ちにくい画像を表す表示画像データを選択することができる。この結果、欠陥画素が比較的目立ちにくいように、表示部に特定種の画像を表示することができる。
【０００９】
［適用例２］表示装置の製造方法であって、複数の画素を有する表示部と、前記表示部に画像を表示させる表示制御部とを備える前記表示装置を準備する工程と、前記表示部の前記複数の画素のうち、表示に関する欠陥を有する欠陥画素に関する欠陥情報を取得する工程と、前記欠陥情報を用いて、前記複数個の候補画像データの中から、表示画像データを選択する選択工程と、前記表示制御部が、選択された前記表示画像データを用いて前記表示部に特定種の画像を表示するように、前記表示制御部に対する設定を行う工程と、
を備える表示装置の製造方法。
【００１０】
本発明は、種々の形態で実現することが可能であり、例えば、上記装置の機能を実現する方法、上記装置の機能を実現するコンピュータプログラム、当該コンピュータプログラムを記録した記録媒体、等の形態で実現することができる。
【図面の簡単な説明】
【００１１】
【図１】実施例における表示装置としての複合機２００の構成を示すブロック図。
【図２】表示部２７０の表示パネル２７０Ｐの概略構成図。
【図３】複数種類の候補画像データの一例を示す図。
【図４】表示設定処理のフローチャート。
【図５】欠陥情報記録テーブルＤＴの一例を示す図。
【図６】色テーマ選択処理のフローチャート。
【図７】ＵＩ画面表示処理のフローチャート。
【図８】表示部２７０に表示されるＵＩ画面の一例を示す図。
【図９】第２実施例の表示設定システム１０００の概略構成図。
【図１０】表示設定のフローチャート。
【発明を実施するための形態】
【００１２】
Ａ．第１実施例：
Ａ−１．複合機の構成：
次に、本発明の実施の形態を実施例に基づき説明する。図１は、実施例における表示装置としての複合機２００の構成を示すブロック図である。
【００１３】
複合機２００は、ＣＰＵ２１０と、ハードディスクドライブやＥＥＰＲＯＭなどの不揮発性記憶装置２２０と、ＲＡＭなどの揮発性記憶装置２３０と、所定の方式（例えば、インクジェット、レーザー）で画像を印刷するプリンタ部２４０と、光電変換素子（例えば、ＣＣＤ、ＣＭＯＳ）を用いて原稿を読み取るスキャナ部２５０と、タッチパネルやボタンなどの操作部２６０と、表示パネル２７０Ｐ（図２：後述）を含む表示部２７０と、パーソナルコンピュータやＵＳＢメモリ（図示省略）などの外部装置とデータ通信を行うための通信部２８０と、を備えている。表示部２７０は、例えば、ユーザインタフェース画面（ＵＩ画面）を表示するために、用いられる。ＵＩ画面は、操作部２６０と協働して、ユーザからの操作を受け付けたり、ユーザに複合機２００に関する情報を提供したりするための画面である。本実施例の複合機２００では、操作部２６０のタッチパネルと、表示パネル２７０Ｐと、が重畳されている。この結果、表示パネル２７０Ｐに表示されたＵＩ画面にユーザが指で触れることによって、複合機２００を操作可能なユーザインタフェースが実現されている。
【００１４】
揮発性記憶装置２３０には、ＣＰＵ２１０が処理を行う際に生成される種々の中間データを一時的に格納するバッファ領域２３１が設けられている。不揮発性記憶装置２２０は、複合機２００を制御するためのコンピュータプログラム２２２と、コンテンツ画像データ群２２４と、ＵＩ用画像データ群２２６と、を格納している。コンピュータプログラム２２２は、例えば、ＣＤ−ＲＯＭなどに記録された形態で提供され得る。コンテンツ画像データ群２２４は、複合機２００が備える画像処理機能によって、処理対象とされる画像データ、あるいは、処理対象とされた画像データを含む画像データ群である。例えば、コンテンツ画像データ群２２４には、スキャナ部２５０によって生成された画像データ（スキャンデータ）、プリンタ部２４０による印刷処理の対象とされ得る画像データが含まれる。また、コンテンツ画像データ群２２４には、これらの画像データが表す画像を縮小した画像（例えば、サムネイル画像）を表す画像データが含まれる。ＵＩ用画像データ群２２６については、後述する。
【００１５】
ＣＰＵ２１０は、コンピュータプログラム２２２を実行することにより、後述する画像処理を実行するＵＩ制御部１００と、プリンタ部２４０やスキャナ部２５０を制御する装置制御部２０として機能する。ＵＩ制御部１００は、情報取得部１１０と、選択部１２０と、表示制御部１６０を備えている。選択部１２０は、算出部１３０を備えている。算出部１３０は、欠陥画素値取得部１４０と、対応画素値取得部１５０と、を備えている。これらの各機能部が実行する処理については、後述する。
【００１６】
図２は、表示部２７０の表示パネル２７０Ｐの概略構成図である。表示パネル２７０Ｐは、フルカラーの画像を表示可能なカラーパネルであり、本実施例では、液晶パネルである。表示パネル２７０Ｐは、プラズマパネル、有機ＥＬパネルであっても良い。表示パネル２７０Ｐは、マトリクス状に並んだＭ１個（Ｍ１は自然数、例えば、縦２００個×横２００個＝４００００個）の画素ＰＸを備えている。各画素ＰＸは、３種類の色成分（ＲＧＢ）に対応する３個のサブ画素、すなわち、Ｒ成分に対応する１個の赤サブ画素ＳＲと、Ｇ成分に対応する１個の緑サブ画素ＳＧと、Ｂ成分に対応する１個の青サブ画素ＳＢを、含んでいる。この結果、各画素ＰＸは、ＲＧＢ値（画素データ）に従って、ＲＧＢ表色系で表される色を表示することができる。ＲＧＢ値は、３種類の色成分（ＲＧＢ）の明度を表す３個の階調値を含む。各階調値は、所定の階調数（本実施例では、０〜２５５の２５６階調）の値を取る。以下、Ｒ成分の階調値をＲ値、Ｇ成分の階調値をＧ値、Ｂ成分の階調値をＢ値とも呼ぶ。
【００１７】
３×Ｍ１個のサブ画素は、表示に関する欠陥を有する欠陥サブ画素を含む場合がある。サブ画素の欠陥は、例えば、サブ画素の構成要素（例えば、電極、駆動素子（トランジスタ））の不具合によって、製造時や、製造後の使用時に、発生する。サブ画素の欠陥には、サブ画素が、常に消灯（ＯＦＦ）する暗欠陥（ＯＦＦ欠陥とも呼ぶ）と、サブ画素が、常に点灯（ＯＮ）する明欠陥（ＯＮ欠陥とも呼ぶ）と、が含まれる。暗欠陥を有する赤サブ画素ＳＲ、緑サブ画素ＳＧ、青サブ画素ＳＢは、常に最低明度の色（本実施例では、階調値０に対応する色）、すなわち、黒を表示する。明欠陥を有する赤サブ画素ＳＲ、緑サブ画素ＳＧ、青サブ画素ＳＢは、常に最高明度の色（本実施例では、階調値２５５に対応する色）、すなわち、赤、緑、青の原色をそれぞれ表示する。
【００１８】
少なくとも１個の欠陥サブ画素を含む画素ＰＸは、欠陥画素である。図２には、符号ＤＰで、欠陥画素を示している。以下では、欠陥サブ画素に対応する色成分と、欠陥サブ画素が暗欠陥および明欠陥のいずれかと、用いて、欠陥画素の種類を表す場合がある。欠陥サブ画素に対応する色成分は、ＲＧＢのいずれかであり、欠陥色成分とも呼ぶ。例えば、明欠陥を有する青サブ画素ＳＢを含む欠陥画素を、Ｂ成分の明欠陥を有する欠陥画素とも呼ぶ。
【００１９】
ＵＩ用画像データ群２２６は、表示部２７０にＵＩ画面として表示される複数種類の画像を表す複数種類のＵＩ用画像データを含んでいる。ＵＩ用画像データ群２２６は、１種類のＵＩ画面を表示するための画像データとして、複数種類の候補画像データを含んでいる。
【００２０】
図３は、複数種類の候補画像データの一例を示す図である。図３に示すように、本実施例では、１種類のＵＩ画面を表示するために、７種類の候補画像データが用意されている。具体的には、７種類の候補画像データは、レッド系画像５０Ｒ、グリーン系画像５０Ｇ、ブルー系画像５０Ｂ、シアン系画像５０Ｃ、マゼンタ系画像５０Ｍ、イエロ系画像５０Ｙ、モノクロ系画像５０Ｋをそれぞれ表す。図３に例示された各画像は、コンテンツ背景画像（例えば、５１Ｒ、５１Ｇ、５１Ｂ）と、第１アイコン画像（例えば、５２Ｒ、５２Ｇ、５２Ｂ）と、第２アイコン画像（例えば、５３Ｒ、５３Ｇ、５３Ｂ）と、第３アイコン画像（例えば、５４Ｒ、５４Ｇ、５４Ｂ）と、を含んでいる。コンテンツ背景画像は、後述するようにコンテンツ画像を重畳して表示するための表示領域を表す画像であり、重畳して表示されたコンテンツ画像の背景を表す画像である。アイコン画像は、処理の内容や対象を表現した絵、記号、文字などを含む画像である。本実施例では、タッチパネルと表示パネル２７０Ｐとが重畳されているので、ユーザは、例えば、アイコン画像を指で触ることにより、複合機２００に対する操作（例えば、印刷指示）を行うことができる。例えば、第１アイコン画像は、コンテンツ背景画像に重畳して表示されたコンテンツ画像の印刷指示を受け付けるためのアイコン画像である。また、第２アイコン画像は、コンテンツ背景画像に重畳して表示されたコンテンツ画像をＥメールに添付して送信する送信指示を受け付けるためのアイコン画像である。また、第３アイコン画像は、コンテンツ背景画像に重畳して表示されたコンテンツ画像を、別のコンテンツ画像に切り替える切替指示を受け付けるためのアイコン画像である。
【００２１】
７種類の候補画像データが表す画像は、互いに主要な色成分が異なる画像である。例えば、レッド系画像５０Ｒは、主要な色成分がＲ成分である画像である。主要な色成分がＲ成分である画像とは、例えば、Ｒ値の平均値が、Ｇ値およびＢ値の平均値より大きい画像を含む。また、主要な色成分がＲ成分である画像とは、Ｒ値の平均値が、最大値２５５を含む所定範囲（例えば、２００〜２５５の範囲）内にあり、Ｇ値およびＢ値の平均値が、最小値０を含む所定範囲（例えば、０〜５０の範囲）内にある画像を含む。また、主要な色がＲ成分である画像は、例えば、画像を構成する全ての画素のうち基準割合（例えば、８０％）以上の画素が、第１の基準値（例えば、２００）以上のＲ値と、第２の基準値（例えば、５０）以下のＧ値およびＢ値と、を有する画像を含む。
【００２２】
レッド系画像５０Ｒは、主要な色成分であるＲ成分の明欠陥を有する欠陥画素（Ｒ値＝２５５である色のみを表示できる）を含む表示部２７０に表示された場合に、当該欠陥画素が目立ちにくい。また、レッド系画像５０Ｒは、Ｇ成分の暗欠陥を有する欠陥画素（Ｇ値＝０である色のみを表示できる）、または、Ｂ成分の暗欠陥を有する欠陥画素（Ｂ値＝０である色のみを表示できる）を含む表示部２７０に表示された場合に、当該欠陥画素が目立ちにくい。
【００２３】
同様に、グリーン系画像５０Ｇは、主要な色成分がＧ成分である画像である。グリーン系画像５０Ｇは、Ｇ成分の明欠陥を有する欠陥画素（Ｇ値＝２５５である色のみを表示できる）を含む表示部２７０に表示された場合に、当該欠陥画素が目立ちにくい。また、グリーン系画像５０Ｇは、Ｒ成分の暗欠陥を有する欠陥画素（Ｒ値＝０である色のみを表示できる）、または、Ｂ成分の暗欠陥を有する欠陥画素を含む表示部２７０に表示された場合に、当該欠陥画素が目立ちにくい。
【００２４】
同様に、ブルー系画像５０Ｂは、主要な色成分がＢ成分である画像である。ブルー系画像５０Ｂは、Ｂ成分の明欠陥を有する欠陥画素（Ｂ値＝２５５である色のみを表示できる）を含む表示部２７０に表示された場合に、当該欠陥画素が目立ちにくい。また、ブルー系画像５０Ｂは、Ｒ成分の暗欠陥を有する欠陥画素、または、Ｇ成分の暗欠陥を有する欠陥画素を含む表示部２７０に表示された場合に、当該欠陥画素が目立ちにくい。
【００２５】
また、シアン系画像５０Ｃは、主要な色成分が、Ｇ成分とＢ成分である画像である。シアン系画像５０Ｃは、Ｇ成分の明欠陥を有する欠陥画素、または、Ｂ成分の明欠陥を有する欠陥画素を含む表示部２７０に表示された場合に、当該欠陥画素が目立ちにくい。また、シアン系画像５０Ｃは、Ｒ成分の暗欠陥を有する欠陥画素を含む表示部２７０に表示された場合に、当該欠陥が目立ちにくい。
【００２６】
同様に、マゼンタ系画像５０Ｃは、主要な色成分が、Ｒ成分とＢ成分である画像である。マゼンタ系画像５０Ｍは、Ｒ成分の明欠陥を有する欠陥画素、または、Ｂ成分の明欠陥を有する欠陥画素を含む表示部２７０に表示された場合に、当該欠陥画素が目立ちにくい。また、マゼンタ系画像５０Ｍは、Ｇ成分の暗欠陥を有する欠陥画素を含む表示部２７０に表示された場合に、当該欠陥が目立ちにくい。
【００２７】
イエロ系画像５０Ｙは、主要な色成分が、Ｒ成分とＧ成分である画像である。イエロ系画像５０Ｙは、Ｒ成分の明欠陥を有する欠陥画素、または、Ｇ成分の明欠陥を有する欠陥画素を含む表示部２７０に表示された場合に、当該欠陥画素が目立ちにくい。また、イエロ画像５０Ｙは、Ｂ成分の暗欠陥を有する欠陥画素を含む表示部２７０に表示された場合に、当該欠陥が目立ちにくい。
【００２８】
モノクロ系画像５０Ｋを表す候補画像データは、例えば、無彩色を表す画素データで構成されており、主要な色成分はない。モノクロ系画像５０Ｋは、主要な色が黒である画像である。モノクロ系画像５０Ｋは、ＲＧＢのいずれかの色成分の暗欠陥を有する欠陥画素を含む表示部２７０に表示された場合に、当該欠陥が目立ちにくい。
【００２９】
Ａ−２．画像処理：
ＵＩ制御部１００は、ＵＩ画面を表示部２７０に表示するための一連の画像処理を実行する。この画像処理は、表示設定処理（図４）と、ＵＩ画面表示処理（図７：後述）と、を含んでいる。
【００３０】
Ａ−２−１．表示設定処理：
図４は、表示設定処理のフローチャートである。表示設定処理は、例えば、ユーザからの実行指示が、操作部２６０を介して受け付けられた場合に、実行される。
【００３１】
ステップＳ１０では、情報取得部１１０は、欠陥情報入力画面を表示部２７０（表示パネル２７０Ｐ）に表示して、ユーザから欠陥情報の入力を受け付ける。上述した図２に示す表示パネル２７０Ｐには、欠陥情報入力画面の一例が表示されている。欠陥情報入力画面には、縦線ＶＬと、横線ＨＬと、単色領域ＳＣと、が表示される。縦線ＶＬは、表示パネル２７０Ｐの上端から下端まで、縦方向（図２：Ｙ方向）に延びる線である。縦線ＶＬの横方向の幅は、１画素分の幅である。横線ＨＬは、表示パネル２７０Ｐの右端から左端まで、横方向（図２：Ｘ方向）に延びる線である。横線ＨＬの縦方向の幅は、１画素分の幅である。単色領域ＳＣは、表示パネル２７０Ｐの全領域のうち、縦線ＶＬと、横線ＨＬと、が表示された領域を除いた領域である。
【００３２】
縦線ＶＬと、横線ＨＬとは、欠陥画素ＤＰ（図２）の位置を入力するための線であり、位置入力線とも呼ぶ。すなわち、縦線ＶＬは、ユーザの操作に応じて左右に移動し、横線ＨＬは、ユーザの操作に応じて上下に移動する。ユーザは、縦線ＶＬと、横線ＨＬと、を移動させて、縦線ＶＬと横線ＨＬとの交点の位置と、欠陥画素ＤＰの位置と、を一致させることによって、欠陥画素ＤＰの位置を入力することができる。
【００３３】
本実施例では、単色領域ＳＣと２本の位置特定線ＶＬ、ＨＬとの色が互いに異なる４種類の欠陥情報入力画面が順次に表示され、各欠陥情報入力画面にて、欠陥情報の入力を受け付ける。
【００３４】
第１の欠陥情報入力画面は、単色領域ＳＣの色が赤（ＲＧＢ＝（２５５、０、０））に制御され、２本の位置特定線ＶＬ、ＨＬが黒（ＲＧＢ＝（０、０、０））に制御された画面である。第１の欠陥情報入力画面では、単色領域ＳＣ内にある、Ｒ成分の暗欠陥を有する欠陥画素が、黒に表示されるので、当該欠陥画素の存在をユーザが容易に認識できる。第１の欠陥情報入力画面では、Ｒ成分の暗欠陥を有する欠陥画素が存在する場合に、当該欠陥画素の画素位置がユーザから入力される。
【００３５】
第２の欠陥情報入力画面は、単色領域ＳＣの色が緑（ＲＧＢ＝（０、２５５、０））に制御され、２本の位置特定線ＶＬ、ＨＬが黒に制御された画面である。第２の欠陥情報入力画面では、単色領域ＳＣ内にある、Ｇ成分の暗欠陥を有する欠陥画素が、黒に表示されるので、当該欠陥画素の存在をユーザが容易に認識できる。第２の欠陥情報入力画面では、Ｇ成分の暗欠陥を有する欠陥画素が存在する場合に、当該欠陥画素の画素位置がユーザから入力される。
【００３６】
第３の欠陥情報入力画面は、単色領域ＳＣの色が青（ＲＧＢ＝（０、０、２５５））に制御され、２本の位置特定線ＶＬ、ＨＬが黒に制御された画面である。第３の欠陥情報入力画面では、単色領域ＳＣ内にある、Ｂ成分の暗欠陥を有する欠陥画素が黒に表示されるので、当該欠陥画素の存在をユーザが容易に認識できる。第３の欠陥情報入力画面では、Ｂ成分の暗欠陥を有する欠陥画素が存在する場合に、当該欠陥画素の画素位置がユーザから入力される。
【００３７】
第４の欠陥情報入力画面は、単色領域ＳＣの色が黒に制御され、２本の位置特定線ＶＬ、ＨＬが白（ＲＧＢ＝（２５５、２５５、２５５））に制御された画面である。第４の欠陥情報入力画面では、単色領域ＳＣ内にある、ＲＧＢの各色成分の明欠陥を有する欠陥画素が、それぞれ赤、緑、青、シアン、マゼンダ、イエロ、白、のうちのいずれかに表示されるので、当該欠陥画素の存在をユーザが容易に認識できる。例えば、Ｒ成分に明欠陥を有し、Ｇ成分及びＢ成分に明欠陥を有さない欠陥画素は、赤で表示される。例えば、Ｒ成分とＧ成分とに明欠陥を有し、Ｂ成分に明欠陥を有さない欠陥画素は、イエロで表示される。例えば、Ｒ成分とＢ成分とに明欠陥を有し、Ｇ成分に明欠陥を有さない欠陥画素は、マゼンダで表示される。例えば、Ｇ成分とＢ成分とに明欠陥を有し、Ｒ成分に明欠陥を有さない欠陥画素は、シアンで表示される。例えば、Ｒ成分とＧ成分とＢ成分とに明欠陥を有する欠陥画素は、白で表示される。第４の欠陥情報入力画面では、明欠陥を有する欠陥画素が存在する場合に、当該欠陥画素の画素位置と色（赤、緑、青、シアン、マゼンダ、イエロ、白、のいずれか）がユーザから入力される。
【００３８】
ステップＳ２０では、情報取得部１１０は、ステップＳ１０で受け付けられたユーザの入力に基づいて、欠陥情報を取得する。取得された欠陥情報は、例えば、欠陥情報記録テーブルＤＴに記録される。
【００３９】
図５は、欠陥情報記録テーブルＤＴの一例を示す図である。欠陥情報記録テーブルＤＴには、欠陥画素の位置を特定する情報（Ｘ座標と、Ｙ座標）と、欠陥画素の種類を特定する情報とが、欠陥画素ごとに記録される。欠陥画素の種類を特定する情報は、欠陥色成分（ＲＧＢのいずれか）を示す情報と、欠陥画素が明欠陥であるか暗欠陥であるか（ＯＮ／ＯＦＦ）を示す情報である。例えば、欠陥情報記録テーブルＤＴの上から１行目の欠陥情報は、「Ｒ成分の明欠陥（ＯＮ欠陥）を有する欠陥画素が、座標（Ｘ１、Ｙ１）に存在する」ことを示している。ここで、欠陥色成分は、「欠陥画素に含まれる３個のサブ画素のうち、欠陥を有するサブ画素に対応する色成分」のことを指す。また、欠陥情報記録テーブルＤＴに記録された欠陥情報は、「複数種類のサブ画素ごとの欠陥に関する情報」とも言うことができる。
【００４０】
ステップＳ３０では、選択部１２０は、色テーマ選択処理を実行する。色テーマ選択処理は、欠陥情報記録テーブルＤＴに記録された欠陥情報を用いて、７種類の色テーマの中から、１つの色テーマを選択する処理である。ここで、７種類の色テーマは、上述した７種類の候補画像データに対応したレッド系、グリーン系、ブルー系、シアン系、マゼンダ系、イエロ系、モノクロ系の７つである。
【００４１】
図６は、色テーマ選択処理のフローチャートである。
ステップＳ３００では、欠陥画素値取得部１４０は、欠陥画素値を取得する。欠陥画素値は、欠陥画素に表示される色を表す画素値である。上述したように、欠陥画素が明欠陥である場合には、欠陥画素値は、最高明度値であり、欠陥画素が暗欠陥である場合には、欠陥画素値は、最小明度値である。したがって、本実施例では、欠陥画素値取得部１４０は、明欠陥の欠陥画素値（明欠陥画素値Ｖａ）として、２５５を取得し、暗欠陥の欠陥画素値（暗欠陥画素値Ｖｂ）として、０を取得する。
【００４２】
ステップＳ３０５では、選択部１２０は、上述した７種類の色テーマの中から、１個の色テーマを選択する。ステップＳ３１０では、選択部１２０は、３種類の色成分（ＲＧＢ）の中から、１個の色成分を選択する。
【００４３】
ステップＳ３１５では、対応画素値取得部１５０は、欠陥画素に対応する候補画像の画素値（対応画素値）を取得する。対応画素値は、欠陥画素の位置に対応する候補画像の画素のＲＧＢ値のうち、欠陥色成分に対応する成分値（欠陥色対応値）である。図５の欠陥情報記録テーブルＤＴに示す欠陥情報が取得されている場合を例に説明する。例えば、欠陥情報記録テーブルＤＴには、Ｒ成分の欠陥画素が１つ記録されている（図５：１行目の明欠陥）。従って、ステップＳ３１０で選択された色成分がＲ成分である場合には、対応画素値取得部１５０は、ステップＳ３０５で選択された色テーマの候補画像データにおいて、１個の欠陥画素の位置（座標（Ｘ１、Ｙ１））に対応する１個の画素のＲ値（Ｒ（Ｘ１、Ｙ１）とする）を、取得する。ステップＳ３０５で選択された色テーマの候補画像データは、例えば、選択された色テーマがレッド系である場合には、レッド系画像５０Ｒを表す画像データである（図３）。
【００４４】
また、欠陥情報記録テーブルＤＴには、Ｂ成分の欠陥画素が２つ記録されている（図５：２行目の暗欠陥と、３行目の明欠陥）。従って、ステップＳ３１０で選択された色成分がＢ成分である場合には、対応画素値取得部１５０は、ステップＳ３０５で選択された色テーマの候補画像データにおいて、２個の欠陥画素の位置（座標（Ｘ２、Ｙ２）、（Ｘ３、Ｙ３））に対応する２個の画素のＢ値（Ｂ（Ｘ２、Ｙ２）、Ｂ（Ｘ３、Ｙ３）とする）を取得する。また、欠陥情報記録テーブルＤＴには、Ｇ成分の欠陥画素が１つ記録されている（図５：４行目の明欠陥）。従って、ステップＳ３１０で選択された色成分がＧ成分である場合には、対応画素値取得部１５０は、ステップＳ３０５で選択された色テーマの候補画像データにおいて、１個の欠陥画素の位置（座標（Ｘ４、Ｙ４））に対応する１個の画素のＧ値（Ｇ（Ｘ４、Ｙ４）とする）を取得する。
【００４５】
ステップＳ３２０では、算出部１３０は、欠陥画素値と対応画素値との差分値を、欠陥画素ごとに算出する。具体的には、ステップＳ３１０で選択された色成分がＲ成分である場合には、対応画素値取得部１５０は、１個の欠陥画素（図５：１行目の明欠陥）に対応する１個の差分値Ｄ１を算出する（Ｄ１＝Ｒ（Ｘ１、Ｙ１）−Ｖａ）。また、ステップＳ３１０で選択された色成分がＢ成分である場合には、対応画素値取得部１５０は、２個の欠陥画素（図５：２行目の暗欠陥と、３行目の明欠陥）に対応する２個の差分値Ｄ２、Ｄ３を算出する（Ｄ２＝Ｂ（Ｘ２、Ｙ２）−Ｖｂ、Ｄ３＝Ｂ（Ｘ３、Ｙ３）−Ｖａ）を算出する。また、ステップＳ３１０で選択された色成分がＧ成分である場合には、対応画素値取得部１５０は、１個の欠陥画素（図５：４行目の明欠陥）に対応する１個の差分値Ｄ４を算出する（Ｄ４＝Ｂ（Ｘ４、Ｙ４）−Ｖａ）を算出する。
【００４６】
ステップＳ３２５では、選択部１２０は、全ての色成分を選択したか否かを判断する。未選択の色成分がある場合には（ステップＳ３２５：ＮＯ）、選択部１２０は、ステップＳ３１０に戻って、未選択の色成分を選択して、上述したステップＳ３１５、Ｓ３２０の処理を繰り返す。全ての色成分が選択済みである場合には（ステップＳ３２５：ＹＥＳ）、選択部１２０は、ステップＳ３３０に移行する。
【００４７】
ステップＳ３３０に移行した時点で、ステップＳ３０５で選択された色テーマの候補画像データについて、ＲＧＢの３つの色成分の差分値がそれぞれ算出されている。ステップＳ３３０では、算出部１３０は、全ての色成分の差分値の和（差分合計値ＤＳ）を算出する。例えば、図５の欠陥情報記録テーブルＤＴに示す欠陥情報を取得している場合には、算出部１３０は、上述した４個の欠陥画素に対応する差分値Ｄ１〜Ｄ４の和を、差分合計値ＤＳとして算出する（ＤＳ＝Ｄ１＋Ｄ２＋Ｄ３＋Ｄ４）。
【００４８】
ステップＳ３３５では、選択部１２０は、全ての色テーマを選択したか否かを判断する。未選択の色テーマがある場合には（ステップＳ３３５：ＮＯ）、選択部１２０は、ステップＳ３０５に戻って、未選択の色テーマを選択して、上述したステップＳ３１０〜Ｓ３３０の処理を繰り返す。全ての色テーマが選択済みである場合には（ステップＳ３３５：ＹＥＳ）、選択部１２０は、ステップＳ３４０に移行する。
【００４９】
ステップＳ３４０に移行した時点で、７種類の色テーマの候補画像データに対応する７個の差分合計値ＤＳが算出されている。ステップＳ３４０では、選択部１２０は、７個の差分合計値ＤＳのうちの最小値である最小差分合計値ＤＳ＿ＭＩＮに対応する色テーマを、設定すべき色テーマとして選択する。設定すべき色テーマが選択されると色テーマ選択処理は終了される。
【００５０】
ここで、差分値Ｄ１〜Ｄ４、差分合計値ＤＳの意味について説明する。表示部２７０に画像を表示する場合に、欠陥画素に表示される色は、上述した欠陥画素値Ｖａ（２５５）、Ｖｂ（０）を含むＲＧＢ値で表すことができる。例えば、Ｒ成分の明欠陥を有する欠陥画素において、本来表示すべき色が、ＲＧＢ＝（４０、４０、４０）である場合には、実際に表示される色は、ＲＧＢ＝（２５５、４０、４０）で表される。この場合には、本来表示すべき色と、実際に表示される色とは、異なることが解る。一方、Ｒ成分の明欠陥を有する欠陥画素において、本来表示すべき色が、ＲＧＢ＝（２５５、１０、１０）である場合には、実際に表示される色は、ＲＧＢ＝（２５５、１０、１０）で表される。本来表示すべき色と、実際に表示される色とが、異なる度合が、小さいほど、欠陥画素の存在は目立たない。本来表示すべき色と、実際に表示される色とが、異なる度合が大きいほど、欠陥画素の存在は目立つ。
【００５１】
本来表示すべき色と、実際に表示される色とが、異なる度合は、２つの色を表すＲＧＢ値のうちの、欠陥色成分に対応する成分値（欠陥色対応値）の差分で、表すことができる。対応画素値は、本来表示すべき色の欠陥色対応値であり、欠陥画素値Ｖａ、Ｖｂは、実際に表示される色の欠陥色対応値である。従って、上述した対応画素値と、欠陥画素値と、の間の差分値Ｄ１〜Ｄ４は、各色テーマに対応する候補画像データを表示した場合における欠陥画素が目立つ度合を、欠陥画素ごとに示す指標値と言うことができる。そして、差分合計値ＤＳは、各色テーマに対応する候補画像データを表示した場合における欠陥画素が目立つ度合を、各色テーマに対応する候補画像データごとに示す指標値と言うことができる。
【００５２】
以上の説明から解るように、７つの候補画像データのうち、最小の差分合計値ＤＳに対応する候補画像データは、７つの候補画像データの中で、最も欠陥画素が目立ちにくい画像を表す画像データであると、言うことができる。
【００５３】
色テーマ選択処理が終了されると、ＵＩ制御部１００は、選択された色テーマを設定する。例えば、ＵＩ制御部１００は、ユーザによる複合機２００に対する設定内容を記録するテーブル（図示省略）に、選択された色テーマを特定する情報を、記録する。
【００５４】
Ａ−２−２．ＵＩ画面表示処理：
図７は、ＵＩ画面表示処理のフローチャートである。ＵＩ画面表示処理は、複合機２００の動作状況や、ユーザによる操作部２６０に対する操作に応じて、ＵＩ画面を表示部２７０に表示する場合に実行される。例えば、ＵＩ画面表示処理は、複合機２００の電源投入時に、ＵＩ画面として初期画面を表示する場合、ユーザによる操作に対応してＵＩ画面を切り替える場合などに、実行される。
【００５５】
ステップＳ５０では、選択部１２０は、複合機２００の動作状況やユーザによる操作に応じて、表示部２７０に表示すべきＵＩ画面の種類を決定する。
【００５６】
ステップＳ５５では、選択部１２０は、上述した表示設定処理によって、色テーマが設定済みであるか否かを判断する。色テーマが設定済みでない場合には（ステップＳ５５：ＮＯ）、選択部１２０は、表示すべきＵＩ画面を表示するための複数個の候補画像データ（図３）の中から、デフォルトの候補画像データを、表示画像データとして選択する。デフォルトの候補画像データは、予め定められている。色テーマが設定済みである場合には（ステップＳ５５：ＹＥＳ）、選択部１２０は、表示すべきＵＩ画面を表示するための複数個の候補画像データ（図３）の中から、設定済みの色テーマに対応する候補画像データを、表示画像データとして選択する。例えば、表示すべきＵＩ画面の種類が、図３に示す種類のＵＩ画面であり、設定済みの色テーマが「レッド系」である場合には、図３（Ａ）のレッド系画像５０Ｒを表す候補画像データが、表示画像データとして選択される。
【００５７】
ステップＳ７０では、表示制御部１６０は、選択された表示画像データを用いて、表示すべきＵＩ画面を、表示部２７０に表示する。
【００５８】
ステップＳ７５では、表示制御部１６０は、表示部２７０に表示されたＵＩ画面の種類に応じて、当該ＵＩ画面に、コンテンツ画像を表示するか否かを判断する。例えば、図３に示す種類のＵＩ画面は、上述したように、コンテンツ画像を表示するための画像領域を含むので、表示制御部１６０は、コンテンツ画像を表示すると判断する。例えば、表示部２７０に表示されたＵＩ画面の種類が、コンテンツ画像を表示する必要がない画面である場合には、表示制御部１６０は、コンテンツ画像を表示しないと判断する。例えば、コンテンツ画像を表示する必要がない画面は、例えば、コンテンツ画像とは無関係の設定を行うための画面、例えば、複合機２００に対する初期設定画面などである。
【００５９】
表示制御部１６０は、コンテンツ画像を表示しない場合には（ステップＳ７５：ＮＯ）、ＵＩ画面表示処理を終了する。一方、表示制御部１６０は、コンテンツ画像を表示する場合には（ステップＳ７５：ＹＥＳ）、表示部２７０に表示されたＵＩ画面に重畳して、表示すべきコンテンツ画像を表示する。表示すべきコンテンツ画像を表すコンテンツ画像データは、上述したコンテンツ画像データ群２２４の中から適宜に選択される。コンテンツ画像は、設定された色テーマとは無関係に表示される。言い換えれば、コンテンツ画像は、欠陥情報記録テーブルＤＴに記録された欠陥情報、すなわち、表示パネル２７０Ｐに含まれる欠陥画素とは、無関係に表示される。コンテンツ画像を表示すると、表示制御部１６０は、ＵＩ画面表示処理を終了する。
【００６０】
図８は、ＵＩ画面表示処理によって表示部２７０に表示されるＵＩ画面の一例を示す図である。図８の例では、ＵＩ画面として、レッド系画像５０Ｒ（図３（Ａ））が表示されている。さらに、図８の例では、レッド系画像５０Ｒに含まれるコンテンツ背景画像５１Ｒに重畳して、コンテンツ画像６０が表示されている。
【００６１】
以上説明した本実施例によれば、選択部１２０は、欠陥情報を用いて、特定種の画像（具体的には、ＵＩ画面）を表示するための複数個の候補画像データの中から、表示画像データを選択している。具体的には、先ず、選択部１２０は、表示設定処理において、欠陥情報を用いて、７種類の色テーマの中から、１個の色テーマを選択して、選択された色テーマの設定を行っている（図４）。そして、選択部１２０は、ＵＩ画面表示処理において、設定された色テーマに従って、７種類の色テーマに対応する７個の候補画像データ（図３）の中から、表示画像データを選択している（図７）。この結果、欠陥画素が比較的目立ちにくい画像を表す表示画像データを適切に選択することができる。表示制御部１６０は、選択された表示画像データを用いて、特定種の画像を、表示部２７０に表示する。この結果、欠陥画素が比較的目立ちにくいように、表示部２７０に特定種の画像を表示することができる。
【００６２】
また、算出部１３０は、欠陥情報記録テーブルＤＴに記録された欠陥情報を用いて、欠陥画素に関する指標値を算出する。そして、選択部１２０は、指標値に基づいて、複数個の候補画像データの中から、表示画像データを選択する。この結果、欠陥画素が比較的目立ちにくい画像を表す表示画像データを適切に選択することができる。
【００６３】
より具体的には、算出部１３０の欠陥画素値取得部１４０（第１の画素値取得部の例である）は、欠陥情報記録テーブルＤＴに記録された欠陥情報を用いて、欠陥画素に表示される色を表す欠陥画素値として、明欠陥画素値Ｖａと暗欠陥画素値Ｖｂとを取得する（図６：Ｓ３００）。算出部１３０の対応画素値取得部１５０（第２の画素値取得部の例である）は、欠陥画素に対応する候補画像データ内の画素値である対応画素値（具体的には、Ｒ（Ｘ１、Ｙ１）、Ｂ（Ｘ２、Ｙ２）など）を、複数個の候補画像データごとに取得する（図６：Ｓ３１５）。そして、算出部１３０は、欠陥画素値と対応画素値との差分値Ｄ１〜Ｄ４を用いて、複数個の候補画像データごとに指標値（具体的には、差分合計値ＤＳ）を算出する。そして、選択部１２０は、複数個の候補画像データごとに算出された差分値に基づいて表示画像データを選択するので、欠陥画素が比較的目立ちにくい画像を表す表示画像データをより適切に選択することができる。
【００６４】
欠陥情報記録テーブルＤＴの欠陥情報（図５）は、欠陥色成分を表す情報、すなわち、サブ画素の種類を表す情報を含んでいる。言い換えれば、これらの欠陥情報は、複数種類のサブ画素ごとの欠陥に関する情報を含んでいる。そして、欠陥画素値取得部１４０は、欠陥色成分の欠陥画素値として、上述した明欠陥画素値Ｖａおよび暗欠陥画素値Ｖｂを取得し、対応画素値取得部１５０は、欠陥色成分の対応画素値を取得している。そして、算出部１３０は、複数の色成分ごとに差分値を算出し（図６：Ｓ３１０〜Ｓ３２５）、複数個の候補画像データのそれぞれの指標値として、差分合計値ＤＳを算出する（図６：Ｓ３３０）。この結果、複数種類のサブ画素（赤サブ画素ＳＲと青サブ画素ＳＢと緑サブ画素ＳＧ）をそれぞれ含む複数個の画素ＰＸを有する表示部２７０、すなわち、カラー表示が可能な表示部２７０に、表示するための表示画像データを、適切に選択することができる。
【００６５】
また、選択部１２０は、最小の指標値（具体的には、最小の差分合計値ＤＳ）に対応する候補画像データを、表示画像データとして選択する（図６：Ｓ３４０）ので、欠陥画素が目立ちにくい画像を表す表示画像データをより適切に選択することができる。
【００６６】
また、複数個の候補画像データは、レッド系画像５０Ｒと、グリーン系画像５０Ｇと、ブルー系画像５０Ｂとのように、互いに主要な色成分が異なる複数個の画像を表す複数個の画像データを含む（図３）。すなわち、様々な種類の欠陥画素に対して、比較的目立ちにくい候補画像データが用意されている。この結果、欠陥画素の種類に応じて、欠陥画素が目立ちにくい画像を表す表示画像データを適切に選択することができる。
【００６７】
また、複数個の候補画像データは、レッド系画像５０Ｒのコンテンツ背景画像５１Ｒと、グリーン系画像５０Ｇのコンテンツ背景画像５１Ｇと、ブルー系画像５０Ｂのコンテンツ背景画像５１Ｂとのように、互いに色テーマが異なる複数個の背景画像を表す複数個の画像データを含む。互いにテーマが異なる複数個の背景画像を表す候補画像データの中から、表示画像データを選択するので、欠陥画素が目立ちにくい画像を表す表示画像データを適切に選択することができる。
【００６８】
また、表示制御部１６０は、ＵＩ画面などの特定種の画像と、コンテンツ画像などの特定種の画像とは異なる画像と、を表示部２７０に表示させる（図８）。この場合に、表示制御部１６０は、設定された色テーマに従って複数個の候補画像データの中から選択された表示画像データを用いて、ＵＩ画面を表示する。一方、表示制御部１６０は、色テーマとは無関係に、コンテンツ画像を表示する。上記構成によれば、画像の種類に応じて、適切な画像を表示することができる。コンテンツ画像として表示すべき画像の色相は、１種類であって、複数個の候補画像データが用意される性質の画像ではないと考えられる。例えば、コンテンツ画像として表示された画像の色相が、表示すべき画像の色相と異なっていると、ユーザは、違和感を感じる場合がある。
【００６９】
Ｂ．第２実施例：
Ｂ−１．表示設定システムの構成：
第２実施例では、複合機の製造方法について説明する。図９は、第２実施例の製造方法で用いられる表示設定システム１０００の概略構成図である。表示設定システム１０００は、表示設定の対象となる複合機２００Ｂと、複合機２００Ｂと接続されて、複合機２００Ｂに対して表示設定を実行する設定用コンピュータ３００と、を備える。
【００７０】
図９に示すように、第２実施例の複合機２００Ｂは、ＣＰＵ２１０Ｂと、表示部２７０Ｂと、不揮発性記憶装置２２０Ｂとを備えている。表示部２７０Ｂの構成は、第１実施例の複合機２００の表示部２７０（図１）と同一である。不揮発性記憶装置２２０Ｂには、第１実施例のコンピュータプログラム２２２（図１）とは異なる制御プログラム２２２Ｂが格納されている。ＣＰＵ２１０Ｂは、制御プログラム２２２Ｂを実行することによって、装置制御部２０Ｂと、表示制御部１６０Ｂとして機能する。装置制御部２０Ｂの機能は、第１実施例の装置制御部２０（図１）と同一である。表示制御部１６０Ｂは、後述する設定用コンピュータ３００によって設定される表示設定に従って、ＵＩ画面を表示部２７０Ｂに対して表示する。ＣＰＵ２１０Ｂは、第１実施例のＣＰＵ２１０（図１）とは異なり、情報取得部１１０と選択部１２０としての機能を備えていない。
【００７１】
なお、複合機２００Ｂは、さらに、第１実施例の複合機２００と同様に、揮発性記憶装置２３０と、プリンタ部２４０と、スキャナ部２５０と、操作部２６０と、通信部２８０とを、備えているが、図９において図示を省略する。これらの要素の構成は、第１実施例の複合機２００の同名の要素の構成と、同一である。
【００７２】
設定用コンピュータ３００は、ＣＰＵ３１０と、不揮発性記憶装置３２０と、揮発性記憶装置（図示せず）と、を備える周知のコンピュータである。不揮発性記憶装置３２０には、設定プログラム３２２と、ＵＩ用画像データ群３２６と、が格納されている。ＵＩ用画像データ群３２６は、第１実施例のＵＩ用画像データ群２２６（図１、図３）と同じデータ群である。ＣＰＵ３１０は、設定プログラム３２２を実行することによって、複合機２００Ｂに対する表示設定を実行する設定処理部１００Ｂとして機能する。設定処理部１００Ｂは、情報取得部１１０Ｂと、選択部１２０Ｂと、を備えている。選択部１２０Ｂは、算出部１３０Ｂを備えている。算出部１３０Ｂは、欠陥画素値取得部１４０Ｂと、対応画素値取得部１５０Ｂと、を備えている。情報取得部１１０Ｂが備えるこれらの機能部は、第１実施例のＵＩ制御部１００が備える同名の機能部と、基本的に同様の処理を実行する。
【００７３】
Ｂ−２．表示設定システム１０００による複合機２００Ｂに対する表示設定：
図１０は、表示設定のフローチャートである。この表示設定は、複合機２００Ｂの製造工程の中の１つの工程として実行される。ステップＳ１では、複合機２００Ｂを製造する作業者は、設定対象となる複合機２００Ｂを準備し、当該２００Ｂを設定用コンピュータ３００と接続する。複合機２００Ｂは、作業者自身によって製造されることによって準備されても良いし、作業者以外の者によって製造されて作業者に対して譲渡されることによって準備されても良い。複合機２００Ｂと接続された設定用コンピュータ３００は、例えば、複合機２００ＢのＣＰＵ２１０と同様に、複合機２００Bの不揮発性記憶装置２２０Bへのアクセスや、表示部２７０や通信部２８０などの制御が可能である。
【００７４】
ステップＳ２では、作業者が、欠陥情報の入力を実行する。具体的には、先ず、設定用コンピュータ３００の情報取得部１１０Ｂが、第１実施例における情報取得部１１０と同様に、複合機２００Ｂの表示部２７０Ｂに欠陥情報入力画面（図２参照）を表示する。そして、作業者が、欠陥情報入力画面を介して、第１実施例と同様の欠陥情報を入力する。
【００７５】
ステップＳ３では、設定用コンピュータ３００の情報取得部１１０Ｂは、入力された欠陥情報を取得して、欠陥情報記録テーブルＤＴ（図５）に記録する。
【００７６】
ステップＳ４では、設定用コンピュータ３００の選択部１２０Ｂは、色テーマ選択処理を実行する。ここで、実行される色テーマ選択処理は、第１実施例の色テーマ選択処理（図６）と同一である。
【００７７】
ステップＳ５では、設定用コンピュータ３００の設定処理部１００Ｂは、複合機２００Ｂの装置制御部２０Ｂが、ステップＳ４にて選択された色テーマに従って、表示部２７０にＵＩ画面を表示するように、装置制御部２０Ｂに対する設定を実行する。例えば、設定処理部１００Ｂは、複合機２００の不揮発性記憶装置２２０Ｂに、選択された色テーマに対応する候補画像データを、ＵＩ画面の種類ごとに、１個ずつ格納する。
【００７８】
以上説明した表示設定を含む製造方法によれば、当該製造方法で製造された複合機２００Ｂは、第１実施例における複合機２００と同様の効果を発揮することができる。また、第１実施例における複合機２００と異なり、複合機２００ＢのＣＰＵ２１０Ｂは、表示設定処理（図４、図６）を実行する必要がないので、ＣＰＵ２１０Ｂの処理負荷を低減することができる。また、複合機２００の不揮発性記憶装置２２０Ｂに、全ての色テーマに対応する候補画像データを格納する必要がないので、不揮発性記憶装置２２０Ｂの必要な容量を低減することができる。
【００７９】
Ｃ．変形例：
（１）上記第１実施例では、表示設定処理（図４）において、情報取得部１１０は、ユーザからの入力に基づいて、欠陥情報を取得して、欠陥情報記録テーブルＤＴに記録している。これに代えて、欠陥情報は、複合機２００の製造時等に、欠陥情報記録テーブルＤＴなどに予め記録されていても良い。この場合には、情報取得部１１０は、予め記録された欠陥情報を、欠陥情報記録テーブルＤＴなどから取得すれば良い。
【００８０】
（２）上記第１実施例では、算出部１３０は、候補画像データごとに算出される指標値として、差分合計値ＤＳを算出しているが、指標値は、これに限られない。これに代わる指標値として、例えば、算出部１３０は、欠陥画素の数を算出しても良い。具体的には、算出部１３０は、候補画像データにおいて、目立つ可能性が高い欠陥画素の数を、候補画像データごとに算出しても良い。例えば、レッド系画像５０Ｒでは、上述したように、Ｒ成分の明欠陥を有する欠陥画素は、目立ちにくいが、その他の種類の欠陥画素は、目立ちやすい。したがって、算出部１３０は、レッド系画像５０Ｒを表す候補画像データの指標値として、Ｒ成分の明欠陥を有する欠陥画素を除いた欠陥画素の数を算出しても良い。この場合には、選択部１２０は、最小の指標値に対応する候補画像データを、表示画像データとして選択すれば良い。
【００８１】
さらには、選択部１２０は、指標値を用いることなく、候補画像データを選択しても良い。例えば、欠陥画素の数が比較的少ない場合、例えば、選択部１２０は、存在する欠陥画素の種類に応じて、候補画像データを選択しても良い。具体的には、Ｒ成分の明欠陥を有する欠陥画素が存在し、他の欠陥画素が存在しない場合には、選択部１２０は、単純にＲ成分の明欠陥を有する欠陥画素が目立ちにくいレッド系画像５０Ｒを表す候補画像データを選択しても良い。この場合には、情報取得部１１０は、欠陥情報として、欠陥画素の種類を特定する情報を取得すれば良く、果敢画素の位置を特定する情報は、取得しなくても良い。一般的に言えば、選択部１２０は、欠陥画素に関する欠陥情報を用いて、複数個の候補画像データの中から、表示画像データを選択すれば良い。
【００８２】
（３）上記実施例の表示部２７０は、カラー表示が可能な表示部であるが、モノクロ表示のみが可能な表示部が採用されても良い。この場合には、複数種類のサブ画素は存在しないので、色成分は、１個である。従って、欠陥画素の種類は、明欠陥（常に白を表示する）と、暗欠陥（常に黒を表示する）と、の２種類だけとなる。
【００８３】
（４）上記実施例の表示部２７０は、複合機２００に備えられた表示部であるが、これに限られない。例えば、パーソナルコンピュータなどの汎用の計算機や、スマートフォンなどの携帯端末のディスプレイに、本発明を適用しても良い。また、デジタルカメラに設けられた液晶パネル、例えば、撮影時には、被写体を表す画像を表示し、設定処理などの操作時にはＵＩ画面が表示される液晶パネルに、本発明を適用しても良い。
【００８４】
（５）複数の候補画像データが用意される特定種の画像は、ＵＩ画面を表す画像に限られない。例えば、汎用の計算機や、携帯端末のためのディスプレイに、本発明を適用する場合には、例えば、特定種の画像は、いわゆる壁紙と呼ばれる背景画像であっても良い。この場合には、複数個の候補画像データは、壁紙としての複数種類の背景画像を表す複数個の画像データである。これらの複数個の候補画像データによって表される画像は、Ｒ成分を主要な色成分とする「夕焼け」の画像、Ｂ成分を主要な色成分とする「空」の画像、Ｇ成分を主要な色成分とする「森」の画像、など、互いにテーマが異なる画像をあることが好ましい。こうすれば、複数個の候補画像データによって表される画像が、類似した複数の画像である場合と比較して、様々な種類の欠陥画素が目立つことを抑制できる可能性が高くなる。ただし、複数個の候補画像データは、互いに異なる画像であれば良く、例えば、ユーザによって壁紙用に準備された２個以上の任意の数の画像データであっても良い。
【００８５】
（６）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【００８６】
（７）本発明の機能の一部または全部がソフトウェアで実現される場合には、そのソフトウェア（コンピュータプログラム）は、コンピュータ読み取り可能な記録媒体に格納された形で提供することができる。「コンピュータ読み取り可能な記録媒体」は、メモリーカードやＣＤ−ＲＯＭのような携帯型の記録媒体に限らず、各種のＲＡＭやＲＯＭ等のコンピュータ内の内部記憶装置や、ハードディスクドライブ等のコンピュータに接続されている外部記憶装置も含んでいる。
【００８７】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【００８８】
１００...ＵＩ制御部、１１０...情報取得部、１２０...選択部、１３０...算出部、１４０...欠陥画素値取得部、１５０...対応画素値取得部、１６０...表示制御部、２００...複合機、２１０...ＣＰＵ、２２０...不揮発性記憶装置、２２２...コンピュータプログラム、２２４...コンテンツ画像データ群、２２６...ＵＩ用画像データ群、２３０...揮発性記憶装置、２４０...プリンタ部、２５０...スキャナ部、２６０...操作部、２７０...表示部、２８０...通信部、３００...設定用コンピュータ 
【図１】
2014048412.tif 000003
【図２】
2014048412.tif 000004
【図３】
2014048412.tif 000005
【図４】
2014048412.tif 000006
【図５】
2014048412.tif 000007
【図６】
2014048412.tif 000008
【図７】
2014048412.tif 000009
【図８】
2014048412.tif 000010
【図９】
2014048412.tif 000011
【図１０】
2014048412.tif 000012